(57)【特許請求の範囲】
【請求項１】
記憶装置を収納するとともに前記記憶装置をストレージ装置において活性状態で支持する収納ユニットであって、
前記記憶装置が取り付けられる本体部と、
前記ストレージ装置に係合するように前記本体部の一端に設けられる係合部と、を備え、
前記係合部には、
前記収納ユニットが前記ストレージ装置に挿入されたときに前記ストレージ装置の外側に露出する前記係合部の露出端に対して出没可能な第１の可動部と、
前記収納ユニットが前記ストレージ装置に挿入されたときに、前記第１の可動部の前記係合部内への没入に連動して、前記係合部の露出端に接する側面の１つから、隣接する他の収納ユニット又は前記ストレージ装置の内壁面に向かって突出する第２の可動部と、が設けられており、
前記第２の可動部は、前記第２の可動部の突出時に前記第２の可動部に向かって流れる気流を阻害する形状に形成されており、
前記第１の可動部は、前記第２の可動部に向かって傾斜する第１の傾斜面を有し、
前記第２の可動部は、前記第１の可動部に向かって傾斜する第２の傾斜面を有し、
前記第１の傾斜面及び前記第２の傾斜面は、互いに滑り接触することによって前記第１の可動部の没入方向の運動を前記第２の可動部の突出方向の運動に変換するように形成されており、
前記第１の可動部は、前記第１の傾斜面と連続している前記第２の可動部の突出方向に垂直な第１の垂直面を有し、
前記第２の可動部は、前記第２の傾斜面と連続している前記第２の可動部の突出方向に垂直な第２の垂直面を有し、
前記第１の垂直面と前記第２の垂直面は、前記第１の傾斜面と前記第２の傾斜面の前記滑り接触の終了後に面接触することによって、前記第２の可動部が突出方向と逆方向への移動を阻止するように形成されている、収納ユニット。
【請求項２】
前記第２の可動部は、前記第１の可動部の没入方向と逆方向への移動に連動して、前記係合部に没入する方向に移動する、請求項１に記載の収納ユニット。
【請求項３】
前記係合部には、前記第２の可動部を前記係合部内に没入させる方向に付勢する付勢部材がさらに設けられる、請求項１または２に記載の収納ユニット。
【請求項４】
前記記憶装置から放出されて前記係合部の前記露出端に向かう電磁波を遮断する遮断部材をさらに備える、請求項１〜３のいずれか１項に記載の収納ユニット。
【請求項５】
記憶装置を収納する収納ユニットを複数格納するストレージ装置であって、
前記収納ユニットの各個が、請求項１〜４のいずれか１項に記載の収納ユニットである、ストレージ装置。
【発明の詳細な説明】
【技術分野】
【０００１】
本発明は、記憶装置を収納する収納ユニット、及びその収納ユニットを格納するストレージ装置に関する。
【背景技術】
【０００２】
複数の記憶装置を搭載したストレージ装置が広く普及している。このようなストレージ装置は一般にディスクアレイ装置と称される。多くの場合に、記憶装置としてハードディスクドライブユニット（以後、ＨＤＤユニットと称する）が使用されるので、以下では記憶装置としてＨＤＤユニットを例示する。図１３は、複数のディスクアレイ装置を含むストレージシステム４の斜視図である。図１３中のストレージシステム４は、上下方向に延在するラック状の本体４０と、本体４０から水平方向に引出し可能な複数のディスクアレイ装置４１と、を有している。図１３中の各ディスクアレイ装置４１に格納されたＨＤＤユニットを挿抜する手順について図１４及び図１５を参照して説明する。
【０００３】
先ず、図１４では、ラック状の本体４０の上から４番目のディスクアレイ装置４１が手前に引き出されている。図１４のように、各ディスクアレイ装置４１は上部が開口した箱型のシャーシ４１０を有しており、シャーシ４１０の上部はヒンジ式の天板４１１によって塞がれている。この天板４１１は、シャーシ４１０の内側に格納された複数のＨＤＤユニットの冷却効率が低下するのを防止する密閉部材の役割を果たす。つまり、図１４のように天板４１１が閉じられている間は、シャーシ４１０の内側に上方から外気が流れ込むことはないので、シャーシ４１０の内側を流れる冷却風の流路が適正に確保される。なお、冷却風を発生させる送風ユニットは、ＨＤＤユニットの格納部に隣接してシャーシ４１０の内側に配置されている。シャーシ４１０の内側を流れる冷却風の方向が図１４中の矢印Ｆ１４で表されている。さらに、上記の天板４１１は、シャーシ４１０内のＨＤＤユニットが発生した電磁波を遮蔽する遮蔽部材の役割を果たす。
【０００４】
次いで、図１５では、シャーシ４１０の天板４１１が開けられている。これによりシャーシ４１０内の各ＨＤＤユニット４２の上端がシャーシの４１０の外側に露出される。ＨＤＤユニット４２はＨＤＤ４２１とＨＤＤ４２１を収納する活性枠４２２とを含んでおり、図１５では活性枠４２２の上端がシャーシ４１０の外側に露出されている。その後、保守者によってシャーシ４１０内の所望のＨＤＤユニット４２がシャーシ４１０に対して抜き差しされる。ところが、上記の構造を有するストレージシステム４を使用する場合には、各シャーシ４１０の上方に天板４１１が回動するための空間を確保する必要があるので、ストレージシステム４の設置施設内の空間を十分に活用することができない。ストレージシステム４の設置施設は、例えば、データセンターである。つまり、ラック状の本体４０が設置施設の天井の近くまで伸びていても、設置施設の天井の近くにディスクアレイ装置４１を配置することはできない。そのため、各ディスクアレイ装置４１におけるＨＤＤユニット４２の実装密度が大きくても、ストレージシステム４全体におけるＨＤＤユニット４２の実装密度は必ずしも大きくならない。また、図１４及び図１５中のストレージシステム４を使用する場合には、天板４１１そのものが原因で保守者の作業領域が制限される。具体定に言うと、天板４１１が図１５のように開けられているときは、保守者が天板４１１のヒンジ側から各ＨＤＤユニット４２にアクセスするのは困難であるので、各ＨＤＤユニット４２を挿抜する保守者の作業効率が低下するおそれがある。
【０００５】
図１６は、図１４及び図１５中のディスクアレイ装置４１の変形例を示す斜視図である。図１６中のディスクアレイ装置４１では、密閉部材及び遮蔽部材の役割を果たす天板４１１がシャーシ４１０に着脱可能に取り付けられているので、天板４１１の取り回しに伴う上記の問題点は解消されうる。ところが、図１６中のディスクアレイ装置４１を使用する場合、天板４１１が取り外されてから再び装着されるまでの間は、シャーシ４１０に格納されたＨＤＤユニット４２の間の隙間Ｇに、上方から外気Ｅが自由に流れ込む。そのため、シャーシ４１０内のＨＤＤユニット４２の冷却効率が低下するおそれがある。また、図１６中のディスクアレイ装置４１を使用する場合には、取り外した天板４１１を置くための追加のスペースを確保する必要がある。さらに、天板４１１の取り回し中にストレージシステム４の他の部分が損傷を受けることのないように特別な注意を払う必要もある。
【０００６】
上記の問題点に関連して、複数のＨＤＤユニットを格納するブラケットと、ブラケットに回動可能に設けられたロックレバーと、を含む、ディスクアレイ装置のロック機構が知られている（例えば特許文献１を参照）。このロック機構によれば、保守者がロックレバーをディスクアレイ装置の取っ手として使用することで、ディスクアレイ装置を容易に筐体から取り外して持ち運ぶことができる。また、金属板及びその金属板に止着された化粧板を含む前面パネルを備え、箱状のドライブユニットを収納する収納筐体が知られている（例えば、特許文献２を参照）。この収納筐体によれば、収納筐体の内側で発生した電磁波が漏洩するのを前面パネルの金属板によって防止することができる。
【先行技術文献】
【特許文献】
【０００７】
【特許文献１】特開２００５−３２２３０６号公報
【特許文献２】特開平７−２０１１６３号公報
【発明の概要】
【発明が解決しようとする課題】
【０００８】
ところが、上記のロック機構及び収納筐体を図１４〜図１６中のストレージシステム４に採用しても、ディスクアレイ装置４１の天板４１１が開いている間は、シャーシ４１０の上方から外気が自由に流れ込む。天板４１１がシャーシ４１０から取り外されている間も同様である。そのため、上記のロック機構及び収納筐体を作用しても、シャーシ４１０の内側を流れる冷却風の流路を適正に確保することはできない。
【０００９】
本出願は、複数の記憶装置がストレージ装置に格納されたときにストレージ装置の内側を流れる冷却風の流路を確保する記憶装置の収納ユニットを提供すること、及びその収納ユニットを備えるストレージ装置を提供することを目的とする。
【課題を解決するための手段】
【００１０】
実施形態の一観点によれば、記憶装置を収納するとともに記憶装置をストレージ装置において活性状態で支持する収納ユニットであって、記憶装置が取り付けられる本体部と、ストレージ装置に係合するように本体部の一端に設けられる係合部と、を備え、係合部には、収納ユニットがストレージ装置に挿入された時に、ストレージ装置の外部に露出する係合部の露出端に対して出没可能な第１の可動部と、収納ユニットがストレージ装置に挿入された時に、第１の可動部の係合部内への没入に連動して、係合部の露出端に接する側面の１つから、隣接する他の収納ユニット又はストレージ装置の内壁面に向かって突出する第２の可動部と、が設けられており、第２の可動部は、第２の可動部の突出時に第２の可動部に向かって流れる気流を阻害する形状に形成されている、収納ユニットが提供される。
【発明の効果】
【００１１】
開示の収納ユニットによれば、ストレージ装置を密閉する天板等の密閉部材をストレージ装置側に設けなくても、ストレージ装置の内側を流れる冷却風の流路を確保することができる。
【図面の簡単な説明】
【００１２】
【図１Ａ】図１Ａは、第１実施例の収納ユニットが適用されたディスクアレイ装置の斜視図である。
【図１Ｂ】図１Ｂは、複数のＨＤＤユニットのうちの１つのみがシャーシから取り出された状態を示す、図１Ａと同様の斜視図である。
【図１Ｃ】図１Ｃは、シャーシの前後方向に垂直なディスクアレイ装置の断面を含む、図１Ａ及び図１Ｂと同様の斜視図である。
【図２】図２は、図１Ａ〜図１Ｃ中のシャーシのみを示す斜視図である。
【図３】図３は、ＨＤＤユニットを収納した状態の収納ユニットを示す斜視図である。
【図４Ａ】図４Ａは、ＨＤＤユニットが取り外された状態の収納ユニットを示す斜視図である。
【図４Ｂ】図４Ｂは、図４Ａに対応する分解斜視図である。
【図５Ａ】図５Ａは、ハンドルが上方位置に在るときの収納ユニットを示す斜視図である。
【図５Ｂ】図５Ｂは、図５Ａに対応する収納ユニットの断面図である。
【図６Ａ】図６Ａは、ハンドルが下方位置に在るときの収納ユニットを示す斜視図である。
【図６Ｂ】図６Ｂは、図６Ａに対応する収納ユニットの断面図である。
【図７Ａ】図７Ａは、スライダが退避位置に在るときの収納ユニットを示す斜視図である。
【図７Ｂ】図７Ｂは、図６Ａに対応する収納ユニットの断面図である。
【図８】図８は、ハンドルとスライダの連動機構の変形例が適用された収納ユニットにおいてハンドルが上方位置に在る状態を示す断面図である。
【図９】図９は、ハンドルとスライダの連動機構の変形例が適用された収納ユニットにおいてハンドルが下方位置に在る状態を示す断面図である。
【図１０】図１０は、図８中のハンドル、スライダ、及びリンクのみを示す斜視図である。
【図１１Ａ】図１１Ａは、収納ユニットをディスクアレイ装置のシャーシに装着する手順を時系列で示す第１の拡大断面図である。
【図１１Ｂ】図１１Ｂは、収納ユニットをディスクアレイ装置のシャーシに装着する手順を時系列で示す第２の拡大断面図である。
【図１１Ｃ】図１１Ｃは、収納ユニットをディスクアレイ装置のシャーシに装着する手順を時系列で示す第３の拡大断面図である。
【図１２Ａ】図１２Ａは、第１密着構造部及び第２密着構造部が設けられたシャーシの変形例を示す斜視図である。
【図１２Ｂ】図１２Ｂは、図１２Ａ中のシャーシの断面図である。
【図１２Ｃ】図１２Ｃは、図１２Ａ中のシャーシを別の方向に眺めた斜視図である。
【図１３】図１３は、複数のディスクアレイ装置を含むストレージシステムの斜視図である。
【図１４】図１４は、図１３中のディスクアレイ装置に格納された収納ユニットを挿抜する手順を時系列で示す第１の斜視図である。
【図１５】図１５は、図１３中のディスクアレイ装置に格納された収納ユニットを挿抜する手順を時系列で示す第２の斜視図である。
【図１６】図１６は、図１４及び図１５中のディスクアレイ装置の変形例を示す斜視図である。
【発明を実施するための形態】
【００１３】
以下、添付図面を参照して、本出願に係る収納ユニット及びストレージ装置の実施の形態を、具体的な実施例に基づいて詳細に説明する。以下に説明する実施例では、本出願に係るストレージ装置として、複数のＨＤＤユニットを搭載したディスクアレイ装置を例示している。ただし、本出願に係るストレージ装置は、上記のディスクアレイ装置と同様の構造を有する他のストレージ装置、例えば、複数の光ディスクドライブユニット又は複数のソリッドステートドライブ（ＳＳＤ）ユニットを搭載したストレージ装置等であってもよい。
【００１４】
図１Ａは、本出願の第１実施例の収納ユニットが適用されたディスクアレイ装置１の斜視図である。図１Ａのように、ディスクアレイ装置１は、上部が開口した箱型のシャーシ１０と、シャーシ１０の内側に挿抜可能に格納された複数のＨＤＤユニット２と、を備えている。また、シャーシ１０は、互いに対向する左側壁Ｗ１及び右側壁Ｗ２と、左側壁Ｗ１及び右側壁Ｗ２の各々と交差する前壁Ｗ３と、左側壁Ｗ１及び右側壁Ｗ２の各々と交差する後壁Ｗ４を含む後方部分１１と、を有している。シャーシ１０の後方部分１１には、図示を省略した冷却ファンユニットが内蔵されている。冷却ファンユニットは、シャーシ１０の内側で前壁Ｗ３から後壁Ｗ４に向かって流れる冷却風を発生させる。シャーシ１０の内側を流れる冷却風の方向が図１Ａ中の矢印Ｆ１で表されている（図１Ｂ及び図１Ｃにおいても同様）。ただし、冷却ファンユニットは図１Ａ中の矢印Ｆ１の逆向きの冷却風を発生させることもできる。シャーシ１０の後方部分１１には、冷却ファンユニットの他にも、制御ユニット及び電源ユニット等が内蔵されている。
【００１５】
図１Ｂは、図１Ａと同様の斜視図であり、複数のＨＤＤユニット２のうちの１つのみがシャーシ１０から取り出された状態を示している。図１Ｂのように、個々のＨＤＤユニット２は、シャーシ１０に対して縦向きの姿勢に配置されている。また、個々のＨＤＤユニット２は、収納ユニット３に収納された状態でシャーシ１０の内側に格納されている。収納ユニット３は、シャーシ１０内に格納されたＨＤＤユニット２をシャーシ１０に対して活性状態で支持する役割を果たす。ここでいう活性状態とは、シャーシ１０の内側を流れる冷却風の流路が確保された状態、すなわち、シャーシ１０の内側を流れる冷却風が収納ユニット３によって遮断されない状態を意味している。さらに、収納ユニット３は、ＨＤＤユニット２の保守又は修理等のために使用者がＨＤＤユニット２をシャーシ１０に対して挿抜するのを補助する役割を果たす。具体的に言うと、使用者は収納ユニット３のハンドル３３を把持することによって、収納ユニット３に収納されたＨＤＤユニット２をシャーシ１０に対して容易に挿抜することができる。なお、収納ユニット３は、ＨＤＤユニット２の代わりに、ＨＤＤユニット２と同等の外形寸法を有するダミー部材を収納することもできる。
【００１６】
続いて、ディスクアレイ装置１における複数のＨＤＤユニット２の配列について説明する。以下の説明では、左側壁Ｗ１と右側壁Ｗ２が並ぶ方向をシャーシ１０の左右方向と称し、前壁Ｗ３と後壁Ｗ３が並ぶ方向をシャーシ１０の前後方向と称する。また、シャーシ１０の左右方向及び前後方向の両方と垂直な方向をシャーシ１０の上下方向と称する。図１Ａ〜図１Ｃでは、シャーシ１０の左右方向、前後方向、及び上下方向が、それぞれ矢印Ｄ１１、矢印Ｄ１２、及び矢印Ｄ１３で表されている（他の図面においても同様である）。図１Ａ及び図１Ｂのように、ディスクアレイ装置１は、複数のＨＤＤユニット２をシャーシ１０の前後方向に４列に並べて格納している。シャーシ１０の前後方向の各列は１２個のＨＤＤユニット２を含んでいるので、ディスクアレイ装置１は最大で４８個のＨＤＤユニット２を格納することができる。以下の説明では、シャーシ１０の前後方向に並んだＨＤＤユニット２の列のそれぞれを単にＨＤＤ列と称することがある。
【００１７】
図１Ｃは、図１Ａ及び図１Ｂと同様の斜視図であり、シャーシ１０の前後方向に垂直なディスクアレイ装置１の断面を含んでいる。図１Ｃのように、各ＨＤＤ列に含まれる１２個のＨＤＤユニット２は、シャーシ１０の左右方向に間隔を空けて配置される。つまり、複数のＨＤＤユニット２がシャーシ１０に格納されると、シャーシ１０の左右方向に隣接するＨＤＤユニット２の間には、シャーシ１０の前後方向に延びる通風路Ｐが形成される。通風路Ｐは、シャーシ１０の左側壁Ｗ１と各ＨＤＤ列の左端に位置するＨＤＤユニット２との間にも形成されるし、シャーシ１０の右側壁Ｗ２と各ＨＤＤ列の右端に位置するＨＤＤユニット２との間にも形成される。このように各ＨＤＤ列に含まれるＨＤＤユニット２はシャーシ１０内で活性状態に支持されている。
【００１８】
図２は、図１Ａ〜図１Ｃ中のディスクアレイ装置１のシャーシ１０のみを示す斜視図である。図２のように、ＨＤＤユニット２が格納されるシャーシ１０の内部空間には、前壁Ｗ３と平行に延びる４つの仕切り壁１２が、シャーシ１０の前後方向に間隔を空けて設置されている。それら仕切り壁１２は左側壁Ｗ１から右側壁Ｗ２まで延びているので、シャーシ１０の内部空間は、それら仕切り壁１２によって、シャーシ１０の前後方向に並んだ４つの小部屋Ｃに分割されている。各小部屋Ｃには各ＨＤＤ列が格納される。以下では、個々のＨＤＤユニット２が格納される小部屋Ｃ内の空間を特にスロットＳと称する（図１Ｃを参照）。
【００１９】
図２のように、各仕切り壁１２には、シャーシ１０の左右方向に間隔を空けて配置された複数の通気孔Ｈが設けられている。複数の通気孔Ｈはシャーシ１０の上下方向に並んだ２つの列から構成されている。そして、各通気孔Ｈは、各小部屋ＣにＨＤＤ列が格納されたときに仕切り壁１２の両側に位置する２つの通風路Ｐを連通するように配置されている。そのため、通風路Ｐを通ってシャーシ１０の前後方向に流れる冷却風が、仕切り壁１２によって遮断されることはない。仕切り壁１２の上端面１２ａは、シャーシ１０の左右方向に延びる板状のガスケットから形成されている。ガスケットは密閉部材の一例である。また、仕切り壁１２の前面及び後面には、個々の収納ユニット３をシャーシ１０に対して固定するための複数の固定突起１３が設けられている。それら固定突起１３は、仕切り壁１２の上端面１２ａに沿って間隔を空けて配置されている。固定突起１３の作用については後述する。
【００２０】
続いて、収納ユニット３の構造について説明する。図３は、ＨＤＤユニット２を収納した状態の収納ユニット３を示す斜視図である。便宜上、図３には、シャーシ１０の一部が収納ユニット３と一緒に示されている。図３のように、収納ユニット３は、ＨＤＤユニット２が取り付けられる活性枠３１と、シャーシ１０の仕切り壁１２と係合するように活性枠３１の一端に設けられる係合部３２と、を有している。活性枠３１は、ＨＤＤユニット２が取り付けられる収納ユニット３の本体部の一例である。また、係合部３２には、それぞれが所定方向に移動可能なハンドル３３及びスライダ３４が組み入れられている。ハンドル３３は収納ユニット３の第１の可動部の一例であり、スライダ３４は収納ユニット３の第２の可動部の一例である。活性枠３１及び係合部３２の構造について以下に詳細に説明する。
【００２１】
図４Ａは、ＨＤＤユニット２が取り外された状態の収納ユニット３を示す斜視図である。また、図４Ｂは、図４Ａに対応する分解斜視図である。図４Ａのように、収納ユニット３の活性枠３１は、縦向きの姿勢にされたＨＤＤユニット２を上方から収納可能な逆Ｕ字型の全体形状を有している。具体的に言うと、活性枠３１は、板状の基部３１１と、基部３１１の長手方向の両端部から基部３１１に垂直に突出する一対の板状の挟持部３１２と、を有している。基部３１１は、互いに隣接する仕切り壁１２の間の距離よりも小さい長手方向寸法を有する。そのため、収納ユニット３の全体がシャーシ１０に格納されると、基部３１１及び挟持部３１２はシャーシ１０内の隣接する仕切り壁１２の間に配置される。
【００２２】
また、一対の挟持部３１２は、ＨＤＤユニット２の一対の側面を側方から挟持するように形成されている（図３を参照）。一対の挟持部３１２は、縦向きの姿勢にされたＨＤＤユニット２の全長と同程度の突出長さを有することが好ましい。これにより各挟持部３１２はＨＤＤユニット２の全長にわたってＨＤＤユニット２を挟持することができる。以下の説明では、基部の３１１の延在方向を収納ユニット３の左右方向と称し、挟持部３１２の突出方向を収納ユニット３の上下方向と称する。また、収納ユニット３の左右方向及び上下方向の両方と垂直な方向を収納ユニット３の前後方向と称する。図４Ａでは、収納ユニット３の左右方向、前後方向、及び上下方向が、それぞれ矢印Ｄ２１、矢印Ｄ２２、及び矢印２３で表されている（他の図面においても同様である）。
【００２３】
図４Ａ及び図４Ｂのように、収納ユニット３の係合部３２は、活性枠３１の基部３１１の上面に立設される壁状部３２０と、壁状部３２０の上端に取り付けられる板状の蓋部３２３と、を有している。図４Ｂのように、係合部３２の壁状部３２０は、活性枠３１の基部３１１と一体に形成されており、基部３１１の上面から挟持部３１２の逆向きに突出した一対の側壁部３２１と、一対の側壁部３２１の後端部の間に延びる後壁部３２２と、を有している。図４Ｂのように、各側壁部３２１の前端面３２１ａは、基部３１１の前端面３１１ａよりも後方に位置している。そして、各側壁部３２１の前端面３２１ａの前方には可動式のスライダ３４が配置されており、各側壁部３２１の前端面３２１ａは、スライダ３４を後述する退避位置で停止させるように形成されている。
【００２４】
図４Ａのように、係合部３２の蓋部３２３は、収納ユニット３の左右方向において活性枠３１の両側に張り出した一対の張出部３２３ａを有している。一対の張出部３２３ａを含む蓋部３２３全体の左右方向の寸法は、シャーシ１０内の隣接する仕切り壁１２の間の距離よりも大きくされる。そのため、収納ユニット３がシャーシ１０に格納されると、壁状部３２０は活性枠３１と一緒に２つの仕切り壁１２の間に配置されるものの、蓋部３２３は２つの仕切り壁１２の上端に架け渡される。つまり、収納ユニット３がシャーシ１０に格納されたときに、蓋部３２３の上面はシャーシ１０の外側に露出する収納ユニット３の露出端を形成する。
【００２５】
図４Ｂのように、蓋部３２３は、収納ユニット３の左右方向に延びる貫通式のスリット３２３ｂを有している。蓋部３２３のスリット３２３ｂには可動式のハンドル３３が挿通されており、スリット３２３ｂの内周面はハンドル３３の上下方向の運動を案内するように形成されている。蓋部３２３の上面には、使用者がハンドル３３を把持するのを補助する一対の切欠き部３２３ｃがさらに設けられている。一対の切欠き部３２３ｃは、スリット３２３ｂ２を収納ユニット３の前後方向に挟むように配置されており、それら切欠き部３２３ｃの各々は、使用者の指先を収容可能な曲面形状を有している。切欠き部３２３ｃの内部空間はスリット３２３ｂの内部空間と連通しているので、使用者は切欠き部３２３ｃに指先を入れることによってハンドル３３を容易に把持することができる。
【００２６】
図４Ｂのように、収納ユニット３は、蓋部３２３の下方に配置される板状の遮蔽部材３５をさらに備えている。遮蔽部材３５は、ＨＤＤユニット２から放出されて蓋部３２３に向かう電磁波を遮断する役割を果たす。これによりディスクアレイ装置１の稼働中にシャーシ１０の外側に漏出する電磁波の漏出量を軽減することができる。遮蔽部材３５は、例えば、電磁波を遮断する各種の金属板から形成されており、基部３１１及び壁状部３２０と蓋部３２３とを結合するボルト３２４によって基部３１１の下面に取り付けられている。
【００２７】
引き続き図４Ａ及び図４Ｂを参照して、収納ユニット３のハンドル３３及びスライダ３４について説明する。収納ユニット３のハンドル３３は、蓋部３２３の上面に対して出没可能に係合部３２に組み入れられている。図４Ｂのように、ハンドル３３は収納ユニット３の左右方向に延びる板状の全体形状を有しており、蓋部３２３のスリット３２３ｂの内周面に案内されることによって所定の上方位置と下方位置との間で往復動可能である。図４Ａには上方位置に在るハンドル３３が示されている。ハンドル３３の上端部には、使用者がハンドル３３を把持するのを補助する溝部３３ａが設けられている。溝部３３ａは収納ユニット３の左右方向に延びており、ハンドル３３の前面及び後面の両方に設けられている。図４Ａのように、ハンドル３３の各面の溝部３３ａは蓋部３２３の切欠き部３２３ｃに対向するように配置されている。そのため、使用者はハンドル３３の溝部３３ａに指先を引っ掛けることによってハンドル３３を容易に把持することができる。なお、スリット３２３ｂの内周面に案内されるハンドル３３の外周面の少なくとも一部は、スリット３２３ｂの内周面に気密に接触可能なガスケットから形成されることが好ましい。ガスケットは密閉部材の一例である。これによりハンドル３３の外周面とスリット３２３ｂの内周面との間の密閉性を向上させることができる。
【００２８】
また、収納ユニット３のスライダ３４は、ハンドル３３が係合部３２内に没入するのと連動して、蓋部３２３の上面と交差する係合部３２の側面の１つから係合部３２の外方に突出するように形成されている。そのため、収納ユニット３の全体がシャーシ１０に格納されたときに、収納ユニット３のスライダ３４は、シャーシ１０の左右方向に隣接する他の収納ユニット３に向かって突出することができる。これによりスライダ３４に向かってシャーシ１０の上下方向に流れる気流が阻害されるので、隣接する２つの収納ユニット３の間の通風路Ｐへの外気の流入が軽減ないし防止される（図１Ｃを参照）。その結果、シャーシ１０の上下方向における通風路Ｐの密閉性が向上するので、シャーシ１０内を前後方向に流れる冷却風の流路が確保される。図４Ｂのように、スライダ３４は収納ユニット３の左右方向に延びる角棒状の全体形状を有しており、蓋部３２３の下面と基部３１１の上面の両方に案内されることによって、所定の突出位置と退避位置との間で往復動可能である。図４Ａには退避位置に在るスライダ３４が示されている。
【００２９】
なお、スライダ３４の角棒形状は、収納ユニット３の左右方向における壁状部３２０の寸法と同程度の長さを有することが好ましい。これにより、シャーシ１０の上下方向に流れる気流が収納ユニット３の左右方向の全長にわたって阻害されるので、シャーシ１０の上下方向における通風路Ｐの密閉性をさらに向上させることができる。また、スライダ３４の突出方向の前端面３４ａは、収納ユニット３の左右方向に延びる板状のガスケットから形成されることが好ましい。ガスケットは密閉部材の一例である。これによりスライダ３４の突出時にスライダ３４の前端面３４ａがシャーシ１０内で隣接する他の収納ユニット３’の後壁部３２２’と気密に接触するようになる（図１１Ｃを用いて後述する）。
【００３０】
続いて、収納ユニット３のハンドル３３とスライダ３４の連動機構について説明する。図５Ａは、ハンドル３３が上方位置に在るときの収納ユニット３を示す斜視図である。図５Ａは、収納ユニット３の左右方向に垂直な断面を含んでいる。図５Ａ中の断面は、ハンドル３３が延在する係合部３２の中央部分を切断したものである。図５Ｂは、図５Ａに対応する収納ユニット３の断面図である。図５Ｂのように、ハンドル３３の下端部には、スライダ３４の後端部に向かって下向きに傾斜した傾斜面３３Ｉが設けられており、スライダ３４の後端部には、ハンドル３３の下端部に向かって上向きに傾斜した傾斜面３４Ｉが設けられている。ハンドル３３及びスライダ３４の傾斜面３３Ｉ，３４Ｉは、互いに滑り接触することによって、上方位置から下方位置に向かうハンドル３３の運動を、退避位置から突出位置に向かうスライダ３４の運動に変換するように形成されている。そのため、上方位置に在るハンドル３３が使用者によって下向きに押されると、退避位置に在るスライダ３４が突出位置に向かって係合部３２の外方に移動させられる。
【００３１】
また、ハンドル３３の下端部には、上記の傾斜面３３Ｉと連続する、スライダ３４の移動方向に垂直な垂直面３３Ｖが設けられており、スライダ３４の後端部には、上記の傾斜面３４Ｉと連続する、スライダ３４の移動方向に垂直な垂直面３４Ｖが設けられている。図６Ａは、ハンドル３３が下方位置に在るときの収納ユニット３を示す斜視図である。図６Ａは、図５Ａと同様に、収納ユニット３の左右方向に垂直な断面を含んでいる。図６Ｂは、図６Ａに対応する収納ユニット３の断面図である。図６Ａ及び図６Ｂのように、ハンドル３３及びスライダ３４の垂直面３３Ｖ，３４Ｖは、傾斜面３３Ｉ，３４Ｉの滑り接触の終了後に互いに面接触することによって、スライダ３４が突出位置から退避位置に向かって移動するのを阻止するように形成されている。つまり、スライダ３４は、傾斜面３３Ｉ，３４Ｉの滑り接触の終了後に、ハンドル３３の垂直面３３Ｖによって突出位置にロックされる。そのため、突出位置に在るスライダ３４が退避位置に向かって後方に押されたとしても、そのスライダ３４が退避位置に向かって移動することはない。
【００３２】
再び図４Ｂの分解斜視図を参照すると、収納ユニット３の係合部３２には、スライダ３４の後面に取り付けられた引張ばね３６がさらに内蔵されている。引張ばね３５は、付勢部材の一例でありスライダ３４を退避位置に向かって常時付勢している。図７Ａは、スライダ３４が退避位置に在るときの収納ユニット３を示す斜視図である。図７Ａは、図６Ａと同様に収納ユニット３の左右方向に垂直な断面を含んでいる。ただし、図７中の断面は、ハンドル３３が延在しない係合部３２の側方部分を切断したものである。図７Ｂは、図７Ａに対応する収納ユニット３の断面図である。図７Ａ及び図７Ｂのように、引張ばね３６の一端はスライダ３４の後面に取り付けられており、引張ばね３５の他端は、スライダ３４の後面に対向する係合部３２の後壁部３２２に取り付けられている。そのため、スライダ３４はその位置によらずに、常時、後壁部３２２に向かって後方に付勢されている。ただし、係合部３２はスライダ３４を退避位置で停止させる側壁部３２１をさらに有するので、スライダ３４が退避位置からさらに後方に移動することはない（図４Ｂ及び図６Ｂを参照）。
【００３３】
再び図５Ｂ及び図６Ｂを参照して、ハンドル３３が図６Ｂ中の下方位置から図５Ｂ中の上方位置まで引き上げられる間のスライダ３４の動作について説明する。先ず、ハンドル３３が所定の高さ位置に到達するまでの間は、ハンドル３３の垂直面３３Ｖとスライダ３４の垂直面３４Ｖが上下方向の滑り接触を行うだけなので、スライダ３４が突出位置から退避位置に向かって移動することはない。つまり、ハンドル３３の垂直面３３Ｖによるスライダ３４のロック状態が維持される。その後、２つの垂直面３３Ｖ，３４Ｖの滑り接触が終了すると、今度はハンドル３３の傾斜面３３Ｉとスライダ３４の傾斜面３４Ｉが斜め方向の滑り接触を開始する。これによりスライダ３４のロック状態が解除されるので、ハンドル３３がさらに引き上げられるのに伴い、スライダ３４が引張ばね３６の作用によって後壁部３２２側に移動することになる。その後、スライダ３４の後面が側壁部３２１に当接して停止した時点で、スライダ３４の突出位置から退避位置までの移動が完了する。
【００３４】
ここで、収納ユニット３におけるハンドル３３とスライダ３４の連動機構の変形例について説明する。図８及び図９は、本例の連動機構が採用された収納ユニット３の左右方向に垂直な断面図である。図８は図５Ｂと同様にハンドル３３が上方位置に在るときの収納ユニット３を示しており、図９は図６Ｂと同様にハンドル３３が下方位置に在るときの収納ユニット３を示している。図８及び図９のように、本例による収納ユニット３は、ハンドル３３の下端部及びスライダ３４の後端部の各々に回動可能に連結されたリンク３７をさらに備えている。リンク３７は、ハンドル３３の下端部に設けられた第１の回動軸Ａ１を中心に回動可能であるとともにスライダ３４の後端部に設けられた第２の回動軸Ａ２を中心に回動可能である。
【００３５】
図１０は、図８中のハンドル３３、スライダ３４、及びリンク３７のみを示す斜視図である。図１０のように、リンク３７は収納ユニット３の左右方向におけるハンドル３３の両側に一個ずつ設けられている。また、リンク３７の２つの回動軸Ａ１，Ａ２は収納ユニット３の左右方向と平行に伸びている。本例による収納ユニット３のハンドル３３及びスライダ３４は、上述した箇所を除き、図４Ａ〜図７Ｂに示されるハンドル３３及びスライダ３４と同様の構造を有している。また、本例による収納ユニット３の活性枠３１及び係合部３２は、図４Ａ〜図７Ｂに示される活性枠３１及び係合部３２と同様の構造を有している。
【００３６】
図８及び図９のように、リンク３７は、上方位置から下方位置に向かうハンドル３３の運動を、退避位置から突出位置に向かうスライダ３４の運動に変換するように形成されている。具体的に言うと、ハンドル３３が上方位置から下方位置に向かって移動するときには、リンク３７が第１の回動軸Ａ１を中心に図８中の矢印Ｄ８１の方向に回動し、かつ第２の回動軸Ａ２を中心に図８中の矢印Ａ８２の方向に回動する。これによりスライダ３４が退避位置から突出位置に向かって押し出される。そして、スライダ３４が突出位置に到達すると、リンク３７の２つの回動軸Ａ１，Ａ２が収納ユニット３の上下方向に垂直な仮想平面上に整列される。この仮想平面が図９中の鎖線で表されている。この状態では、スライダ３４が退避位置に向かって押されてもリンク３７が回動することはない。つまりスライダ３４は突出位置にロックされる。
【００３７】
他方、ハンドル３３が下方位置から上方位置に向かって移動するときには、リンク３７が第１の回動軸Ａ１を中心に図９中の矢印Ｄ９１の方向に回動し、かつ第２の回動軸Ａ２を中心に図９中の矢印Ａ９２の方向に回動する。これによりスライダ３４が退避位置に向かって引き入れられる。以上のように、本例の収納ユニット３では、下方位置に向かうハンドル３３の運動が、リンク３７の回動によって、突出位置に向かうスライダ３４の運動に変換されるので、上記の傾斜面３３Ｉ，３４Ｉをハンドル３３及びスライダ３４に設ける必要がない。また、本例の収納ユニット３では、上方位置に向かうハンドル３３の運動が、リンク３７の回動によって、退避位置に向かうスライダ３４の運動に変換されるので、上記の引張ばね３６をスライダ３４に取り付ける必要がない。
【００３８】
次に、図１１Ａ〜図１１Ｃを参照して、収納ユニット３をディスクアレイ装置１のシャーシ１０に装着する手順について説明する。先ず、本手順では、ＨＤＤユニット２を収納した収納ユニット３がシャーシ１０の対応するスロットＳの上方に位置決めされる。その際に、収納ユニット３は、その上下方向がシャーシ１０の上下方向と平行になり、かつその前後方向がシャーシ１０の左右方向と平行になる姿勢に維持される。そのような姿勢でスロットＳの上方に位置決めされた収納ユニット３が図１Ｂに示されている。次いで、収納ユニット３が上記の姿勢のまま対応するスロットＳに挿入される。図１Ｂのように、収納ユニット３が挿入されるスロットＳに隣接するスロットＳには、予め他の収納ユニット３が挿入されているものとする。
【００３９】
図１１Ａ〜図１１Ｃは、シャーシ１０の左右方向に垂直な拡大断面図である。図１１Ａ〜図１１Ｃは、ＨＤＤ２を収納した収納ユニット３がシャーシ１０に装着される手順を時系列で示している。先ず、図１１Ａの時点では、収納ユニット３がシャーシ１０内のスロットＳに部分的に挿入されている。図１１Ａのように、収納ユニット３がスロットＳに挿入される間は、ハンドル３３が上方位置に維持されるので、スライダ３４が退避位置に維持される。これにより収納ユニット３のスライダ３４がシャーシ１０内の他の収納ユニット３’と干渉するのを防止できる。次いで、図１１Ｂの時点では、収納ユニット３がスロットＳに完全に挿入されている。それと同時にＨＤＤ２の下面側のコネクタがシャーシ１０の底面Ｂ側のコネクタに嵌合されている。
【００４０】
図１１Ａ及び図１１Ｂのように、収納ユニット３がスロットＳに挿入される間は、その右側に隣接する収納ユニット３”のスライダ３４”がＨＤＤ２又は収納ユニット３の後壁部３２２と気密に接触している。これにより、挿入途中の収納ユニット３と右側に隣接する収納ユニット３”との間の通風路Ｐがシャーシ１０の上下方向において密閉されるので、その通風路Ｐへの外気の流入を防止することができる。ただし、図１１Ｂの時点では、挿入途中の収納ユニット３のスライダ３４が未だ退避位置に在るので、挿入途中の収納ユニット３と左側に隣接する収納ユニット３’との間の通風路Ｐはシャーシ１０の上下方向において開放されたままである。なお、図１１Ｂのように収納ユニット３がスロットＳに完全に挿入されると、収納ユニット３の張出部３２３ａの下面が仕切り壁１２の上端面１２ａと気密に接触するようになる（図２及び図４Ａを参照）。その結果、シャーシ１０への外気の流入をシャーシ１０の前後方向における収納ユニット３の両側で阻止することができる。
【００４１】
次いで、図１１Ｃの時点では、収納ユニット３のハンドル３３が上方位置から下方位置まで押し下げられている。これにより収納ユニット３のスライダ３４が退避位置から突出位置まで押し出されるので、スライダ３４の前端面３４ａが左側に隣接する収納ユニット３’の後壁部３２２’に当接するようになる。その結果、スライダ３４の前端面３４ａが隣接する収納ユニット３’の後壁部３２２’と気密に接触するので、２つの収納ユニット３，３’の間の送風路Ｐもシャーシ１０の上下方向において密閉される。つまり、シャーシ１０への外気の流入をシャーシ１０の左右方向における収納ユニット３の両側で阻止することができる。これをもって収納ユニット３をシャーシ１０に装着する手順が完了する。
【００４２】
なお、図１１Ｃの状態では、スライダ３４がシャーシ１０の固定突起１３の下側に完全に入り込んでいるので、収納ユニット３はシャーシ１０に対して上下方向に移動することができない。つまり、収納ユニット３はシャーシ１０から取り出されないように固定突起１３によってロックされている。そのため、一旦シャーシ１０に装着された収納ユニット３を取り出すためには、ハンドル３３を上方に引き上げることによってスライダ３４を突出位置から退避位置まで移動させる必要がある。これにより収納ユニット３のロック状態が解除されるので、ハンドル３３をさらに上方に引き上げることによって収納ユニット３をシャーシ１０から取り外すことができる。
【００４３】
以上のように、本実施例のディスクアレイ装置１では、収納ユニット３のスライダ３４がハンドル３３と連動して他の収納ユニット３’側に突出することによってシャーシ１０の上下方向における密閉状態を形成している（特に図１１Ｃを参照）。ただし、シャーシ１０内で各ＨＤＤ列の左端に位置する収納ユニット３と左側壁Ｗ１との間には他の収納ユニットが存在しないので、各ＨＤＤ列の左端に位置する収納ユニット３は他の収納ユニットではなく左側壁Ｗ１に向かって突出することになる（図１Ａ〜図１Ｃを参照）。そのため、シャーシ１０の左側壁Ｗ１には、スライダ３４の前端面３４ａと気密に接触可能な第１の密着構造部が設けられることが好ましい。同様に、シャーシ１０内で各ＨＤＤ列の右端に位置する収納ユニット３と右側壁Ｗ２との間には他の収納ユニットが存在しない。そのため、シャーシ１０の右側壁Ｗ２には、収納ユニット３の後壁部３２２と気密に接触可能な第２の密着構造部が設けられることが好ましい。
【００４４】
図１２Ａは、第１及び第２の密構造部が設けられたシャーシ１０の変形例を示す斜視図である。また、図１２Ｂは、図１２Ａ中のシャーシ１０の前後方向に垂直な断面図である。図１２Ａ及び図１２Ｂのように、左側壁Ｗ１の内壁面には、シャーシ１０の前後方向に延びる溝部１４が設けられている。溝部１４は第１の密着構造部の一例である。具体的に言うと、側壁Ｗ１の溝部１４は、突出位置に在るスライダ３４を受容可能な寸法を有している。そして、溝部１４の底面は、突出位置に在るスライダ３４の前端面３４ａと密着するように形成されている。これにより、隣接する収納ユニット３の間の通風路Ｐだけでなく、左側壁Ｗ１と収納ユニット３との間の通風路Ｐもシャーシ１０の上下方向において密閉されるので、シャーシ１０の内部空間の密閉性をさらに向上させることができる。なお、左側壁Ｗ１と収納ユニット３との間の位置関係によっては、図１２Ａ及び図１２Ｂ中の溝部１４とは異なる形態の密着構造部が採用されうる。例えば、左側壁Ｗ１と収納ユニット３との間の距離が比較的大きい場合には、シャーシ１０の前後方向に延びるリッジ状の構造部が左側壁Ｗ１の内壁面に設けられる。
【００４５】
図１２Ｃは、図１２Ｂ中のシャーシ１０を別の方向に眺めた斜視図である。図１２Ｃのように、本例のシャーシ１０は、右側壁Ｗ２の内壁面に設けられたリッジ状の隆起部１５をさらに備えている。隆起部１５は第２の密着構造部の一例である。具合的に言うと、隆起部１５はシャーシ１０の前後方向に延びる角棒状の密閉部材から形成されている。そして、隆起部１５の隆起方向の先端面は、収納ユニット３の後壁部３２２と気密に接触するように形成されている。これにより、隣接する収納ユニット３の間の通風路Ｐだけでなく、右側壁Ｗ２と収納ユニット３との間の通風路Ｐもシャーシ１０の上下方向において密閉されるので、シャーシ１０の内部空間の密閉性をさらに向上させることができる。
【００４６】
以上、本出願を特にその好ましい実施の形態を参照して詳細に説明した。本出願の容易な理解のために、本出願の具体的な形態を以下に付記する。
【００４７】
（付記１）  記憶装置を収納するとともに前記記憶装置をストレージ装置において活性状態で支持する収納ユニットであって、
前記記憶装置が取り付けられる本体部と、
前記ストレージ装置に係合するように前記本体部の一端に設けられる係合部と、を備え、
前記係合部には、
前記収納ユニットが前記ストレージ装置に挿入されたときに前記ストレージ装置の外側に露出する前記係合部の露出端に対して出没可能な第１の可動部と、
前記収納ユニットが前記ストレージ装置に挿入されたときに、前記第１の可動部の前記係合部内への没入に連動して、前記係合部の露出端に接する側面の１つから、隣接する他の収納ユニット又は前記ストレージ装置の内壁面に向かって突出する第２の可動部と、が設けられており、
前記第２の可動部は、前記第２の可動部の突出時に前記第２の可動部に向かって流れる気流を阻害する形状に形成されている、収納ユニット。
【００４８】
（付記２）  前記第１の可動部は、前記第２の可動部を前記他の収納ユニットに当接する位置まで突出させることができる、付記１に記載の収納ユニット。
（付記３）  前記第２の可動部は、前記第１の可動部の没入方向と逆方向への移動に連動して、前記係合部に没入する方向に移動する、付記１または２に記載の収納ユニット。
（付記４）  前記第１の可動部は、前記第２の可動部に向かって傾斜する第１の傾斜面を有し、
前記第２の可動部は、前記第１の可動部に向かって傾斜する第２の傾斜面を有し、
前記第１の傾斜面及び前記第２の傾斜面は、互いに滑り接触することによって前記第１の可動部の没入方向の運動を前記第２の可動部の突出方向の運動に変換するように形成されている、付記１〜３のいずれかに記載の収納ユニット。
（付記５）  前記第１の可動部は、前記第１の傾斜面と連続している前記第２の可動部の突出方向に垂直な第１の垂直面を有し、
前記第２の可動部は、前記第２の傾斜面と連続している前記第２の可動部の突出方向に垂直な第２の垂直面を有し、
前記第１の垂直面と前記第２の垂直面は、前記第１の傾斜面と前記第２の傾斜面の前記滑り接触の終了後に面接触することによって、前記第２の可動部が突出方向と逆方向への移動を阻止するように形成されている、付記４に記載の収納ユニット。
【００４９】
（付記６）  前記係合部には、前記第２の可動部を前記係合部内に没入させる方向に付勢する付勢部材がさらに設けられる、付記１〜５のいずれかに記載の収納ユニット。
（付記７）  前記係合部には、前記第１の可動部及び前記第２の可動部の各々に回動可能に連結されたリンクがさらに設けられており、
前記リンクは、２つの回動軸を中心に回動することによって、前記第１の可動部の没入方向の運動を前記第２の可動部の突出方向の運動に変換するように形成されている、付記１〜３のいずれかに記載の収納ユニット。
（付記８）  前記記憶装置から放出されて前記係合部の前記露出端に向かう電磁波を遮断する遮断部材をさらに備える、付記１〜７のいずれかに記載の収納ユニット。
（付記９）  前記第２の可動部の突出方向の前端面が、前記他の収納ユニットと気密に接触可能な密閉部材から形成されている、付記１〜８のいずれかに記載の収納ユニット。
【００５０】
（付記１０）  記憶装置を収納する収納ユニットを複数格納するストレージ装置であって、
前記収納ユニットの各個が、付記１〜９のいずれかに記載の収納ユニットである、ストレージ装置。
（付記１１）  前記収納ユニットの配列方向に沿って延びる仕切り壁を備え、
前記収納ユニットの前記係合部は、前記本体部から側方に張り出した張出部を有しており、前記仕切り壁の上端面に前記張出部で係合するように形成されている、付記１０に記載のストレージ装置。
（付記１２）  前記仕切り壁の前記上端面が、前記張出部と気密に接触可能な密閉部材から形成されている、付記１１に記載のストレージ装置。
（付記１３）  前記記憶装置と同じ寸法を有するダミー部材を前記記憶装置の代わりに収納した前記収納ユニットをさらに格納している、付記１０〜１２のいずれかに記載のストレージ装置。
【００５１】
（付記１４）  前記収納ユニットの配列方向における前記ストレージ装置の一方の側壁に、前記収納ユニットの前記第２の可動部の突出方向の前端面と気密に接触可能な第１の密着構造部が設けられる、付記１０〜１３のいずれかに記載のストレージ装置。
（付記１５）  前記記憶装置の配列方向における前記ストレージ装置の他方の側壁に、前記第２の可動部の突出方向の前端面の反対側を向いた前記収納ユニットの壁面と気密に接触可能な第２の密着構造部が設けられる、付記１４に記載のストレージ装置。
【符号の説明】
【００５２】
１    ディスクアレイ装置
１０    シャーシ
Ａ１    回動軸
Ａ２    回動軸
Ｗ１    左側壁
Ｗ２    右側壁
Ｗ３    前壁
Ｗ４    後壁
Ｐ    通風路
１１    後方部分
１２    仕切り壁
１２ａ    上端面
１３    固定突起
Ｈ    通気孔
Ｓ    スロット
２    ＨＤＤユニット
３    収納ユニット
３１    活性枠
３１１    基部
３１１ａ    前端面
３１２    挟持部
３２    係合部
３２０    壁状部
３２１    側壁部
３２１ａ    前端面
３２２    後壁部
３２３    蓋部
３２３ａ    張出部
３２３ｂ    スリット
３２４    ボルト
３２６    切欠き部
３３    ハンドル
３３ａ    溝部
３３Ｉ    傾斜面
３３Ｖ    垂直面
３４    スライダ
３４ａ    前端面
３４Ｉ    傾斜面
３５    遮蔽部材
３６    引張ばね
３７    リンク
４    ストレージシステム
４０    本体
４１    ディスクアレイ装置
４１０    シャーシ
４１１    天板
４２    ＨＤＤユニット
４２１    ＨＤＤ
４２２    活性枠
Ｅ    外気
Ｇ    隙間
【図１Ａ】
0006428359.tif 000002
【図１Ｂ】
0006428359.tif 000003
【図１Ｃ】
0006428359.tif 000004
【図２】
0006428359.tif 000005
【図３】
0006428359.tif 000006
【図４Ａ】
0006428359.tif 000007
【図４Ｂ】
0006428359.tif 000008
【図５Ａ】
0006428359.tif 000009
【図５Ｂ】
0006428359.tif 000010
【図６Ａ】
0006428359.tif 000011
【図６Ｂ】
0006428359.tif 000012
【図７Ａ】
0006428359.tif 000013
【図７Ｂ】
0006428359.tif 000014
【図８】
0006428359.tif 000015
【図９】
0006428359.tif 000016
【図１０】
0006428359.tif 000017
【図１１Ａ】
0006428359.tif 000018
【図１１Ｂ】
0006428359.tif 000019
【図１１Ｃ】
0006428359.tif 000020
【図１２Ａ】
0006428359.tif 000021
【図１２Ｂ】
0006428359.tif 000022
【図１２Ｃ】
0006428359.tif 000023
【図１３】
0006428359.tif 000024
【図１４】
0006428359.tif 000025
【図１５】
0006428359.tif 000026
【図１６】
0006428359.tif 000027